(57)【特許請求の範囲】
【請求項１】
中間部の断面が三角形状を呈する拡散板の両側に発光色の異なるＬＥＤを配置し、一方の前記ＬＥＤを前記拡散板の一方の側の斜面に向けて照射して反射させ、他方の前記ＬＥＤを前記拡散板の他方の側の斜面に向けて照射して反射させることで、前記拡散板の三角形状部の稜線に沿って、光の境界部分であるエッジを作出させることを特徴とする誘引用エッジ作出方法。
【請求項２】
前面開口部に透光性樹脂板を配し、その上に粘着シートを配設した筐体内に照明手段を設置して成る捕虫器であって、前記筐体の内側背面部に、中間部の水平方向線又は垂直方向線に沿って三角形状に盛り上げた拡散板を配置し、前記拡散板の三角形状部の一方の斜面に向けて紫外発光用ＬＥＤを配列すると共に、他方の斜面に向けて他色発光用ＬＥＤを配列して同時に照射することで、前記拡散板の三角形状部の稜線に沿って光の境界部分であるエッジの作出を可能にしたことを特徴とする捕虫器。
【請求項３】
前記他色発光用ＬＥＤは緑色ＬＥＤである、請求項２に記載の捕虫器。
【請求項４】
前記拡散板における前記紫外発光用ＬＥＤによる照射エリアの面積を、前記他色発光用ＬＥＤによる照射エリアの面積と同じもしくは大となるようにした、請求項２又は３に記載の捕虫器。
【請求項５】
前記粘着シートの端部を、前記前面開口部からはみ出るように外方に張り出させた、請求項２乃至４のいずれかに記載の捕虫器。
【請求項６】
前記拡散板の表面がブラスト加工処理されている、請求項２乃至５のいずれかに記載の捕虫器。
【請求項７】
前記透光性樹脂板の一面又は両面がブラスト加工処理されている、請求項２乃至６のいずれかに記載の捕虫器。
【請求項８】
前記拡散板に拡散性物質が練り込まれて光拡散処理される、請求項２乃至７のいずれかに記載の捕虫器。
【請求項９】
前記筐体は艶消し黒色とされる、請求項２乃至８のいずれかに記載の捕虫器。
【発明の詳細な説明】
【技術分野】
【０００１】
本発明は、誘引用エッジ作出方法及びその方法を用いた捕虫器に関するものであり、より詳細には、例えば、食品工場、医薬品工場、容器包材工場等のように、昆虫類の侵入を極力阻止する必要のある工場や施設に設置される捕虫器、並びに、その捕虫器に適用される昆虫類の誘引効果の高い誘引用エッジの作出方法に関するものである。
【背景技術】
【０００２】
捕虫器としては、例えば、内面に粘着性を持たせた断面半円形のケース内に誘引灯を配置し、更に誘引効果を高めるために、誘引音波発生器を内蔵したものが知られている（特許第２５９９１０１号公報）。その場合の光源としては一般にＢＬランプが用いられているが、ＢＬランプは電力消費量が多くて寿命が短いため、これに代えて、ＢＬランプよりも誘引効果が低いとされているが、電力消費量が少なくて長寿命という利点のあるＬＥＤを用いる要請が高まっている。
【０００３】
ところで従来、第１の波長領域の光を発する第１の光源と、第１の波長領域とは異なる第２の波長領域の光を発光する第２の光源とを備えた発光装置において、これら第１の光源と、第２の光源との境界部にカメムシなどの昆虫が誘引されることを利用した誘引装置の提案がなされている（ＷＯ２０１３／０４２７４３Ａ１）。
【０００４】
この提案に係る誘引装置は、発光手段を内蔵した筐体の前面に、２枚の色が異なる透光プレートを並置することで、透光プレートの境界線に沿った鉛直方向のエッジを形成するものである。透光プレートの素材としては、波長が３７０ｎｍ程度の紫外光を主として透過する素材と、波長が５２０ｎｍ程度の緑色光を主として透過する素材が用いられる。
【０００５】
この誘引装置の発明は、昆虫は、光によって誘引される際に、単純に光や特定の波長に誘引されるのではなく、光源が発する光の波長のコントラスト（エッジ部分）に誘引されるとの知見に基づいてなされたものである。なお、ここにいう光のエッジ部分とは、単一光である場合は、光っている部分とその周りの光っていないところとの境界部分を意味し、２以上の種類の光である場合は、それぞれ異なる光の境界部分を意味する。
【０００６】
この誘引装置の場合は、波長が３００〜６００ｎｍの光を多く射出する水銀灯や、相対的に短波長の光を多く射出するＬＥＤなどの光源を用いる場合に比較して、害虫を効率よく誘引することができるとされている。しかし、その場合のエッジは、２枚の色が異なる透光プレートを並置することで作出されるものであるところから、光源の配光性や投光プレートの均一性に起因して輝度等の問題が発生し、エッジを明確に作出することが難しいという問題がある。
【先行技術文献】
【特許文献】
【０００７】
【特許文献１】ＷＯ２０１３／０４２７４３Ａ１
【発明の概要】
【発明が解決しようとする課題】
【０００８】
上述したように、従来提案されている誘引装置の場合は、エッジが２枚の色が異なる透光プレートを並置することで作出されるものであるあるところから、光源の配光性や投光プレートの均一性に起因して輝度等の問題が発生し、エッジを明確に作出することが難しいという問題があった。
【０００９】
そこで本発明は、異なる光の境界部分であるエッジを明確に作出することができる誘引用エッジ作出方法、及び、その方法を用いた捕虫器を提供することを課題とする。
【課題を解決するための手段】
【００１０】
上記課題を解決するための請求項１に係る発明は、中間部の断面が三角形状を呈する拡散板の両側に発光色の異なるＬＥＤを配置し、一方の前記ＬＥＤを前記拡散板の一方の側の斜面に向けて照射して反射させ、他方の前記ＬＥＤを前記拡散板の他方の側の斜面に向けて照射して反射させることで、前記拡散板の三角形状部の稜線に沿って、光の境界部分であるエッジを作出させることを特徴とする誘引用エッジ作出方法である。
【００１１】
また、上記課題を解決するための請求項２に係る発明は、前面開口部に透光性樹脂板を配し、その上に粘着シートを配設した筐体内に照明手段を設置して成る捕虫器であって、前記筐体の内側背面部に、中間部の水平方向線又は垂直方向線に沿って三角形状に盛り上げた拡散板を配置し、前記拡散板の三角形状部の一方の斜面に向けて紫外発光用ＬＥＤを配列すると共に、他方の斜面に向けて他色発光用ＬＥＤを配列して同時に照射することで、前記拡散板の三角形状部の稜線に沿って光の境界部分であるエッジの作出を可能にしたことを特徴とする捕虫器である。
【００１２】
一実施形態においては、前記他色発光用ＬＥＤは緑色ＬＥＤとされる。また、前記拡散板における前記紫外発光用ＬＥＤによる照射エリアの面積は、前記他色発光用ＬＥＤによる照射エリアの面積と同じもしくは大となるようにされ、前記粘着シートの端部が、前記前面開口部からはみ出るように外方に張り出される。
【００１３】
また、一実施形態においては、前記拡散板の表面がブラスト加工処理され、更に、前記透光性樹脂板の一面又は両面がブラスト加工処理される。また、前記拡散板は、成形時に拡散性物質が練り込まれて光拡散処理される。前記筐体は、好ましくは、艶消し黒色とされる。
【発明の効果】
【００１４】
本発明は上述したとおりであって、拡散板の三角形状部によって照射エリアが二分され、ＬＥＤからの紫外光と他色光がそれぞれ、拡散板の両側の斜面に反射されて前面側に向かい、また、拡散板及び透光性樹脂板にブラスト加工が施されることによって反射光の拡散性が高められることで、紫外エリアと他色エリアとの間で混色が起こらずに明確に区画されるために、光の境界であるエッジがきれいに作出されるという効果がある。また、光源としてＬＥＤを用いるために消費電力が少なく、誘引作用の高い光のエッジがきれいに作出されるために、捕虫率の向上が図れる効果がある。
【図面の簡単な説明】
【００１５】
【図１】本発明に係る捕虫器の構成を示す斜視図である。
【図２】本発明に係る捕虫器の構成を示す縦断面図である。
【図３】本発明に係る捕虫器における光源のスペクトル分布を示すグラフである。
【発明を実施するための形態】
【００１６】
本発明を実施するための形態について、図面を参照しつつ説明する。本発明に係る誘引用エッジ作出方法は、中央部の断面が三角形状を呈する拡散板の両側に発光色の異なるＬＥＤを配置し、一方の前記ＬＥＤを前記拡散板の一方の側の斜面に向けて照射して反射させ、他方の前記ＬＥＤを前記拡散板の他方の側の斜面に向けて照射して反射させることで、前記拡散板の三角形状部の稜線に沿って、光の境界部分であるエッジを作出させることを特徴とするものである。
【００１７】
また、本発明に係る捕虫器は、上記誘引用エッジ作出方法を利用したものであって、図１及び図２に示されるように、基本的には、前面開口部２に透光性樹脂板である紫外光透過性アクリル板３、４を配し、その上に粘着シート５を配設した筐体１内に照明手段を設置して成るものである。筐体１の外側面には、スイッチ２１、音量ボリューム２３及び吊下用フック２４等が配設される。また、その前面上部に誘引音発生用スピーカー２２が設置され、更に、図示してないが、適宜箇所に光量調整用スイッチ等が設置される。筐体１は、艶消しの黒色とすることが好ましい。そのようにした場合は、明るい環境において筐体１の反射光を抑えることができて、捕虫効率の向上を期待できる。
【００１８】
図示した例では、前面開口部２に２枚重ねの紫外光透過性アクリル板３、４が嵌め付けられている。好ましくは、紫外光透過性アクリル板３、４にサンドブラスト処理を行い（ブラスト加工部１０）、透過光の拡散性を高めて配光性を向上させる。ブラスト加工処理は、例えば、外側の紫外光透過性アクリル板３の内面と、内側の紫外光透過性アクリル板４の両面に対して行う。
【００１９】
粘着シート５は、透明樹脂フィルムに粘着剤を塗布したもので、筐体１の前面枠両側には、粘着シート５の側部を保持するガイド６が、それぞれ１又は複数配設される。粘着シート５は、上方からガイド６に沿って差し込まれ、その下辺は、筐体１の前面下辺から前方に延びるように設けられる下方受け溝７に向けて湾曲状態に押し進め、下方受け溝７にて係止させる。また、その上辺は、筐体１の前面上辺に沿って設置される上方受け溝８にて係止させる。
【００２０】
筐体１の内面の背面部に、横方向又は縦方向（図示した例では横方向）の中心線対応部を当該中心線に沿って三角形状に盛り上げた拡散板１１が配置される。図示した例の拡散板１１は、２つの部材を対称的に付き合わせて形成されているが、１枚板を折曲して形成することもできる。拡散板１１の両側の斜面１２、１３は通例平坦な斜面であるが、曲面とする場合もある。
【００２１】
通例、拡散板１１はアルミ板であって、一実施形態においては、その前面側に、反射光の拡散性を高めるためのブラスト加工処理が施される（ブラスト処理部１６）。また、別の実施形態においては、上記ブラスト加工処理に代え、あるいは、上記ブラスト加工処理を行うと共に、拡散板１１に、その成形時に光拡散性物質を練り込むことによって光拡散処理を施す。例えば、光拡散性物質として有機ポリマー粉体（ビーズ）を用い、これを成形時に溶融樹脂に混入させて均一に分散させる。更に、上記光拡散方法に代えて、拡散板１１に光拡散性フィルムを張着することも考えられる。なお、拡散板１１には、必要に応じ、その三角形状部の斜面下端部から両端部にかけて屈曲部１７が形成され、反射光が前方に向かうように配慮される。
【００２２】
拡散板１１の一方の斜面１２に向かうようにして、筐体１の天面に紫外発光用ＬＥＤ１４が適宜数配設され、また、拡散板１１の他方の斜面１３に向かうようにして、筐体１の底面に他の色の発光用ＬＥＤ１５が適宜数配設される。好ましい実施形態においては、ＬＥＤ１５は緑色発光用ＬＥＤとされる。そして、使用時においてＬＥＤ１４とＬＥＤ１５は、同時に発光させる。
【００２３】
図示した例では、エッジ２０を水平方向に作出させるようにしているが、エッジ２０を垂直方向に作出させるようにすることもできる。また、ＬＥＤ１５は、虫の種類に対応させて、赤色や黄色等とされることもある。一例として筐体１は、そのサイズが幅３４４ｍｍ、高さ３４８ｍｍ、奥行１４５ｍｍとされ、照明部（前面開口部２）のサイズが縦２００ｍｍ、横３００ｍｍとされる。そして、その場合ＬＥＤ１４、１５は、光の重なりを多くするために、それぞれ５個配置される。
【００２４】
上記構成の捕虫器において、紫外発光用ＬＥＤ１４と緑色発光用ＬＥＤ１５を用いた場合に、紫外発光用ＬＥＤ１４による照射域である紫外エリア１８と緑色発光用ＬＥＤ１５による照射域である緑エリア１９において、およそ１．０×１０１３ ｐｈｏｔｏｎｓ／ｃｍ２／ｓｅｃに調整した際に、波長の混在が見られるかどうかの確認試験を行った。この試験は、紫外エリア１８及び緑エリア１９それぞれの中央部分を、粘着シート５を外した状態で、分光器（朝日分光、ＨＳＵ−１００Ｓ）のセンサーを拡散板１１の発光面に接触させて、２５０〜１０００ｎｍまでの波長帯で光量を測定する方法で行った。
【００２５】
上記試験の結果、紫外及び緑のピーク波長はそれぞれ３６７ｎｍ、５２９ｎｍであり、構造による波長の大きな変化は認められなかった（図３のスペクトル分布図参照）。そして、紫外エリア１８の測定では、２５０〜１０００ｎｍの積算の総光量（０．９８×１０１３ ｐｈｏｔｏｎｓ／ｃｍ２／ｓｅｃ）における３３０〜４３０ｎｍの光量（０．９７×１０１３ ｐｈｏｔｏｎｓ／ｃｍ２／ｓｅｃ）が占める割合は９６．７％であった。また、緑エリア１９の総光量（０．９７×１０１３ ｐｈｏｔｏｎｓ／ｃｍ２／ｓｅｃ）における４５０〜６５０ｎｍの光量（０．９６×１０１３ ｐｈｏｔｏｎｓ／ｃｍ２／ｓｅｃ）が占める割合は９８．９％であった。
【００２６】
一方、紫外エリア１８の４５０〜６５０ｎｍの光量（０．００６×１０１３ ｐｈｏｔｏｎｓ／ｃｍ２／ｓｅｃ）が占める割合は０．６％であり、緑エリア１９の３３０〜４３０ｎｍの光量（０．００３×１０１３ ｐｈｏｔｏｎｓ／ｃｍ２／ｓｅｃ）が占める割合は０．３％であり、それぞれのエリア１８、１９で混色がほとんど起こっていないことを確認することができた。
【００２７】
このように紫外エリア１８と緑色エリア１９との間においてほとんど混色が起こらないのは、拡散板１１の三角形状部によって照射エリアが二分されること、ＬＥＤ１４からの紫外光とＬＥＤ１５からの緑色光がそれぞれ、拡散板１１の両側の斜面１２、１３に反射されて前面側に向かうこと、並びに、拡散板１１及び紫外光透過性アクリル板３、４にブラスト加工が施されることによって反射光の拡散性が高められること等の相乗作用によるものである。そして、紫外エリア１８と緑色エリア１９との間においてほとんど混色が起こらないことの必然的結果として、その境界が明確になってエッジ２０が作出されるのである。
【００２８】
なお、図示した上記例においては、紫外エリア１８と緑色エリア１９の面積がほぼ同じとなっているが、誘引効果のある紫外発光用ＬＥＤ１５による照射エリアである紫外エリア１８が緑色エリア１９よりも大となるように、三角形状部をずらして配置する構成も考えられる。また、紫外エリア１８及び緑色エリア１９の周縁部に虫が集まることも考えられるので、粘着シート５における紫外エリア１８対応部、及び、緑色エリア１９対応部の周縁部を外方に張り出させることで、捕虫効率をより高めることも考えられる。
【００２９】
本発明に係る捕虫器は一般の捕虫器と同様に、例えば、吊下用フック２４を利用するなどして、捕虫の必要な箇所に設置して用いる。この捕虫器の場合は、上記のとおり、昆虫を誘引する作用の強いエッジ２０が明確に作出されるために誘引作用が強く、捕虫効率の大幅な向上を期待することができる。
【００３０】
この発明をある程度詳細にその好ましい実施形態について説明してきたが、この発明の精神と範囲に反することなしに広範に異なる実施形態を構成することができることは言うまでもない。従って、この発明は添付請求の範囲において限定した以外はその特定の実施形態に制約されるものではない。
【符号の説明】
【００３１】
１      筐体
２      前面開口部
３      紫外光透過性アクリル板
４      紫外光透過性アクリル板
５      粘着シート
６      ガイド
７      下方受け溝
８      上方受け溝
１０    ブラスト処理部
１１    拡散板
１２    斜面
１３    斜面
１４    紫外発光用ＬＥＤ
１５    緑色発光用ＬＥＤ
１６    ブラスト処理部
１７    屈曲部
１８    紫外エリア
１９    緑色エリア
２０    エッジ
【図１】
0006274671.tif 000002
【図２】
0006274671.tif 000003
【図３】
0006274671.tif 000004